(57)【要約】【課題】  電気光学パネルの基板と可撓性基板との電気的な接続が意図せずに解除されることを抑制することが可能な実装構造体、電気光学装置及び電子機器を提供する。【解決手段】  本発明に係る実装構造体は、電気光学パネル４０に電気的に接続された回路を有する回路基板６０と、回路基板６０に実装された第一のコネクタ６２と、一端部側に第二のコネクタ７１が取り付けられた可撓性基板７０と、回路基板６０を収容する基板ケース８０と、を備え、第一のコネクタ６２及び第二のコネクタ７１が基板ケース８０内で互いに接合されることによって可撓性基板７０と回路とが電気的に接続される。そして、基板ケース８０は、回路基板６０を第一のコネクタ６２及び第二のコネクタ７１が互いに接合した状態で収容した際に、第二のコネクタ７１が第一のコネクタ６２に対して接合が解除される向きに移動することを規制する移動規制部８２を有する。【選択図】図５
2010217578.tif 000002
【特許請求の範囲】
【請求項１】
電気光学パネルと、
前記電気光学パネルと電気的に接続された回路を有する回路基板と、
該回路基板に実装された第一のコネクタと、
一端側に第二のコネクタが取り付けられた可撓性基板と、
前記回路基板を収容する基板ケースと、を備え、
前記第一のコネクタ及び前記第二のコネクタは、前記基板ケース内で互いに接合されることによって前記可撓性基板と前記回路とが電気的に接続されるとともに、前記撓動性基板は、他端側が前記基板ケースから導出し、
前記基板ケースは、前記回路基板を前記第一のコネクタ及び前記第二のコネクタが互いに接合した状態で収容した際に、前記第二のコネクタが前記第一のコネクタに対して接合が解除される向きに移動することを規制する移動規制部を有することを特徴とする実装構造体。
【請求項２】
前記移動規制部は、弾性を有し、前記第二のコネクタを前記第一のコネクタに対して接合する向きに付勢することを特徴とする請求項１に記載の実装構造体。
【請求項３】
前記移動規制部は、前記基板ケースに収容された前記回路基板の前記第一のコネクタに隣接する端部に当接して、当該端部を位置決めしていることを特徴とする請求項１又は２に記載の実装構造体。
【請求項４】
前記第２のコネクタが前記移動規制部と対面する部分は、前記端部が前記移動規制部と対面する部分よりも当該回路基板の内側に配置されるか、あるいは、同一の位置に配置されていることを特徴とする請求項３に記載の実装構造体。
【請求項５】
前記基板ケースは、前記回路基板を固定するベース部材と、該ベース部材に固定された前記回路基板を覆うカバー部材と、有し、
前記移動規制部は、前記ベース部材に設けられていることを特徴とする請求項１乃至４のうちいずれか一項に記載の実装構造体。
【請求項６】
前記基板ケースは、前記回路基板を固定するベース部材と、該ベース部材に固定された前記回路基板を覆うカバー部材と、有し、
前記移動規制部は、前記カバー部材に設けられていることを特徴とする請求項１乃至４のうちいずれか一項に記載の実装構造体。
【請求項７】
請求項１乃至６のうちいずれか一項に記載の実装構造体を備えることを特徴とする電気光学装置。
【請求項８】
請求項１乃至６のうちいずれか一項に記載の実装構造体を備えることを特徴とする電子機器。
【発明の詳細な説明】
【技術分野】
【０００１】
本発明は、実装構造体、電気光学装置及び電子機器に関する。
【背景技術】
【０００２】
一般的に、電子機器では、電気光学装置と、該電気光学装置が備える電気光学パネルにおける表示を制御する制御装置とが備えられている。そして、制御装置からの制御信号は、可撓性基板を介して、電気光学パネルに電気的に接続された基板に対して入力される。
ここで、可撓性基板としては、ＦＰＣ基板（Ｆｌｅｘｉｂｌｅ  Ｐｒｉｎｔｅｄ  Ｃｉｒｃｕｉｔ）等が知られている。
従来、電気光学パネルの基板と可撓性基板とを電気的に接続する実装構造体として、例えば、電気光学パネルの基板に実装されたコネクタにおいて、該コネクタに挿入された可撓性基板をロックするロック部を設ける構成が知られている（特許文献１参照）。
【先行技術文献】
【特許文献】
【０００３】
【特許文献１】特開２００２−１２４３４７号公報
【発明の概要】
【発明が解決しようとする課題】
【０００４】
しかしながら、上記従来技術では、電気光学パネルの基板と可撓性基板との電気的接続が意図せず解除される場合がある。
例えば、カーナビゲーション装置等のインダッシュ型の電子機器では、電気光学パネルの移動時において、電気光学パネルの基板と可撓性基板との接続部に負荷がかかり、電気光学パネルの基板と可撓性基板との電気的な接続が意図せずに解除される場合がある。
本発明の課題は、電気光学パネルの基板と可撓性基板との電気的な接続が意図せずに解除されることを抑制することが可能な実装構造体、電気光学装置及び電子機器を提供することである。
【課題を解決するための手段】
【０００５】
上記目的を達成するために、第一の発明に係る実装構造体は、電気光学パネルと、
前記電気光学パネルと電気的に接続された回路を有する回路基板と、回路基板に実装された第一のコネクタと、一端側に第二のコネクタが取り付けられた可撓性基板と、回路基板を収容する基板ケースと、を備え、第一のコネクタ及び第二のコネクタは、基板ケース内で互いに接合されることによって可撓性基板と回路とが電気的に接続されるとともに、撓動性基板は、他端側が基板ケースから導出し、基板ケースは、回路基板を第一のコネクタ及び第二のコネクタが互いに接合した状態で収容した際に、第二のコネクタが第一のコネクタに対して接合が解除される向きに移動することを規制する移動規制部を有することを特徴とする。
【０００６】
第一の発明に係る実装構造体では、回路基板を収容する基板ケースが、回路基板を第一のコネクタ及び第二のコネクタが互いに接合した状態で収容した際に、可撓性基板に取り付けられた第二のコネクタが回路基板に実装された第一のコネクタに対して接合が解除される向きに移動することを規制する移動規制部を有している。
すなわち、第一の発明に係る実装構造体では、基板ケースを介して、第一のコネクタと第二のコネクタとの相対的な移動が規制される。
したがって、第一の発明係る実装構造体によれば、電気光学パネルの回路基板と可撓性基板との電気的な接続が意図せずに解除されることを抑制することが可能となる。
【０００７】
ここで、電気光学パネルとしては、例えば、後述する液晶表示パネル４０が該当する。回路としては、例えば、後述する駆動回路が該当する。回路基板としては、例えば、後述する張り出し回路基板６０が該当する。第一のコネクタとしては、例えば、後述する雌コネクタ６２が該当する。第二のコネクタとしては、例えば、後述する雄コネクタ７１が該当する。可撓性基板としては、例えば、後述するＦＰＣ基板７０が該当する。基板ケースとしては、例えば、後述する基板ケース８０が該当する。移動規制部としては、例えば、後述する移動規制部８２が該当する。
【０００８】
また、第二の発明に係る実装構造体は、第一の発明に係る実装構造体において、移動規制部は、弾性を有し、第二のコネクタを第一のコネクタに対して接合する向きに付勢することを特徴とする。
第二の発明に係る実装構造体では、基板ケースを介して、第一のコネクタ及び第二のコネクタが互いに接合する向きに付勢されることにより、電気光学パネルの回路基板と可撓性基板との電気的な接続が意図せずに解除されることをさらに抑制することが可能となる。
また、第三の発明に係る実装構造体は、第一又は第二の発明に係る実装構造体において、移動規制部は、基板ケースに収容された回路基板の第一のコネクタに隣接する端部に当接して、当該端部を位置決めしていることを特徴とする。
【０００９】
第三の発明に係る実装構造体によれば、可撓性基板が引っ張られた際に、第一のコネクタ及び第二のコネクタにかかる負荷を軽減することが可能となる。
また、第四の発明に係る実装構造体は、第三の発明に係る実装構造体において、第２のコネクタが移動規制部と対面する部分は、端部が移動規制部と対面する部分よりも回路基板の内側に配置されるか、あるいは、同一の位置に配置されていることを特徴とする。
第四の発明に係る実装構造体によれば、可撓性基板が引っ張られた際に、第一のコネクタ及び第二のコネクタにかかる負荷を軽減することが可能となる。
また、第五の発明に係る実装構造体は、第一乃至第四のうちいずれか一の発明に係る実装構造体において、基板ケースは、回路基板を固定するベース部材と、ベース部材に固定された回路基板を覆うカバー部材と、有し、移動規制部は、ベース部材に設けられていることを特徴とする。
【００１０】
第五の発明に係る実装構造体によれば、簡易な構成により電気光学パネルの回路基板と可撓性基板との電気的な接続が意図せずに解除されることを抑制することが可能となる。
ここで、ベース部材としては、例えば、後述するベース部材８１が該当する。カバー部材としては、例えば、後述するカバー部材８５が該当する。
また、第六の発明に係る実装構造体は、第一乃至第四のうちいずれか一の発明に係る実装構造体において、基板ケースは、回路基板を固定するベース部材と、ベース部材に固定された回路基板を覆うカバー部材と、有し、移動規制部は、カバー部材に設けられていることを特徴とする。
【００１１】
第六の発明に係る実装構造体によれば、簡易な構成により電気光学パネルの回路基板と可撓性基板との電気的な接続が意図せずに解除されることを抑制することが可能となる。
ここで、ベース部材としては、例えば、後述するベース部材８１が該当する。カバー部材としては、例えば、後述するカバー部材８５が該当する。
また、第七の発明に係る電気光学装置は、第一乃至第六のうちいずれか一の発明に係る実装構造体を備えることを特徴とする。
【００１２】
第七の発明係る電気光学装置によれば、電気光学パネルの回路基板と可撓性基板との電気的な接続が意図せずに解除されることを抑制することが可能となる。
ここで、電気光学装置としては、例えば、後述する液晶表示装置２０が該当する。
さらに、第八の発明に係る電子機器は、第一乃至第六のうちいずれか一の発明に係る実装構造体を備えることを特徴とする。
第八の発明係る電子機器によれば、電気光学パネルの回路基板と可撓性基板との電気的な接続が意図せずに解除されることを抑制することが可能となる。
ここで、電子機器としては、例えば、後述する電子機器１が該当する。
【図面の簡単な説明】
【００１３】
【図１】本発明の実施の形態に係る電子機器の主要部であり、液晶表示装置が収納された状態を示す概略構成図である。
【図２】図１に示す電子機器において、液晶表示装置が突出された状態を示す図である。
【図３】図１に示す電子機器に備えられる液晶表示装置を示す概略構成図である。
【図４】図３に示す液晶表示装置において、基板ケースのカバー部材を取り外した状態を示す図である。
【図５】図４に示すＡ部の部分拡大図である。
【発明を実施するための形態】
【００１４】
以下、本発明の実施の形態を図面を参照して説明する。
本実施の形態では、本発明に係る実装構造体を、液晶表示装置２０を車両のダッシュボード内に収納可能なインダッシュ型の電子機器１に適用した場合を例にして説明する。
（電子機器の構成）
まず、本発明の実施の形態に係る電子機器１の構成について説明する。
図１は、本発明の実施の形態に係る電子機器の主要部であり、液晶表示装置が収納された状態を示す概略構成図である。図２は、図１に示す電子機器において、液晶表示装置が突出された状態を示す図である。
図１及び図２に示す電子機器１は、制御装置１０と、液晶表示装置２０と、制御装置１０及び液晶表示装置２０を互いに接続するヒンジ部３０とを備えている。
【００１５】
制御装置１０は、車両のダッシュボード内に配設される。制御装置１０は、液晶表示装置２０における表示を制御するための制御信号を出力する。
液晶表示装置２０は、電子機器１が停止している際には、図１に示すように、車両のダッシュボード内に収納された状態となる。一方、液晶表示装置２０は、電子機器１が稼働している際には、図２に示すように、車両のダッシュボードから突出し、運転者が液晶表示装置２０における表示を視認可能な状態となる。
【００１６】
図３は、図１に示す電子機器に備えられる液晶表示装置を示す概略構成図である。図４は、図３に示す液晶表示装置において、基板ケースのカバー部材を取り外した状態を示す図である。図５は、図４に示すＡ部の部分拡大図である。
図３及び図４に示すように、液晶表示装置２０は、液晶表示パネル４０と、バックライト（図示せず）と、液晶表示パネル４０及びバックライトを収容するフレーム５０と、張り出し回路基板６０と、ＦＰＣ基板７０と、基板ケース８０とを備えている。
【００１７】
液晶表示パネル４０は、ガラス等からなる一対の基板の間に液晶を封入して構成される。また、一対の基板では、一方の基板の内面上に画素電極等が形成され、他方の基板の内面上に共通電極、カラーフィルタ等が形成されている。
張り出し回路基板６０は、液晶表示パネル４０を駆動するための駆動回路を有している。駆動回路は、ＦＰＣ基板６１を介して液晶表示パネル４０に電気的に接続されている。ここで、駆動回路は、走査線駆動回路、データ線駆動回路等を含んでいる。そして、駆動回路は、制御装置１０が出力した制御信号に応じて、液晶表示パネル４０に対して走査線制御信号、データ線制御信号等を出力する。
【００１８】
また、図４及び図５に示すように、張り出し回路基板６０には、雌コネクタ６２が実装されている。雌コネクタ６２は、駆動回路と電気的に接続する接続端子（図示せず）と、該接続端子を収容する絶縁性のハウジング６２ａとを有している。
ＦＰＣ基板７０の一端側には、雄コネクタ７１が取り付けられている。ＦＰＣ基板７０の他端側は、制御装置１０に電気的に接続されている。雄コネクタ７１は、ＦＰＣ基板７０と電気的に接続する接続端子（図示せず）と、該接続端子を収容する絶縁性のハウジング７１ａとを有している。
【００１９】
そして、電子機器１では、張り出し回路基板６０に実装された雌コネクタ６２及びＦＰＣ基板７０に取り付けられた雄コネクタ７１が互いに接合されることによって、ＦＰＣ基板７０を介して、制御装置１０と張り出し回路基板６０の駆動回路とが電気的に接続される。
基板ケース８０は、フレーム５０に固定されている。基板ケース８０は、ベース部材８１と、カバー部材８５とを備えている。基板ケース８０は、張り出し回路基板６０に形成された駆動回路を静電気あるいはノイズから遮蔽するために、導電性の部材からなることが好ましく、例えば、金属であることがより好ましい。金属であれば、張り出し回路基板６０を外部からの応力による破壊を防止することも可能である。
【００２０】
ベース部材８１は、張り出し回路基板６０を固定する。カバー部材８５は、ベース部材８１に固定された張り出し回路基板６０を覆う。これにより、基板ケース８０は、張り出し回路基板６０を収容することが可能となっている。
ベース部材８１は、移動規制部８２を有している。移動規制部８２は、張り出し回路基板６０に実装された雌コネクタ６２及びＦＰＣ基板７０に取り付けられた雄コネクタ７１が互いに接合した状態で、張り出し回路基板６０を基板ケース８０に収容した際に、雄コネクタ７１が雌コネクタ６２に対して接合が解除する向きに移動することを規制する。
【００２１】
具体的には、移動規制部８２は、雌コネクタ６２及び雄コネクタ７１が互いに接合した状態で、張り出し回路基板６０を基板ケース８０に収容した際に、雄コネクタ７１が雌コネクタ６２に対して雌コネクタ６２との電気的接続が解除される位置へ移動することを規制する。
本実施の形態では、移動規制部８２は、ベース部材８１において、ベース部材８１に固定された張り出し回路基板６０の雌コネクタ６２に対する雄コネクタ７１の接合が解除される側の端部に設けられている。
【００２２】
移動規制部８２は、雌コネクタ６２及び雄コネクタ７１が互いに接合した状態で、張り出し回路基板６０を基板ケース８０に収容した際に、ＦＰＣ基板７０の両脇のそれぞれに位置するように設けられている。なお、各移動規制部８２は、ＦＰＣ基板７０に対して所定の隙間（本実施の形態では、約１ｍｍ）を有するように形成される。
各移動規制部８２は、ベース部材８１の端部に設けられた凸片を折り曲げることにより形成されている。
各移動規制部８２は、ハウジング７１ａの移動を規制することによって、雄コネクタ７１が雌コネクタ６２に対して接合が解除される向きに移動することを規制する。
【００２３】
具体的には、移動規制部８２は、雌コネクタ６２及び雄コネクタ７１が互いに接合した状態で、張り出し回路基板６０を基板ケース８０に収容した際に、雄コネクタ７１のハウジング７１ａの背面に接触するように設けられている。ここで、各移動規制部８２は、各移動規制部８２にハウジング７１ａが接触した際に雌コネクタ６２と雄コネクタ７１との電気的な接触が保たれる範囲であれば、移動規制部８２は、雌コネクタ６２及び雄コネクタ７１が互いに接合した状態で、張り出し回路基板６０を基板ケース８０に収容した際に、ハウジング７１ａの背面に対して隙間を有するように形成しても構わない。
また、ベース部材８１は、左右方向（図４における左右方向）の両端部のそれぞれに設けられた側壁部８３と、前後方向（図４における上下方向）のフレーム５０側（後側）の端部に設けられた奥壁部（図示せず）とを有している。
【００２４】
そして、張り出し回路基板６０がベース部材８１に設置された状態で、各側壁部８３は、張り出し回路基板６０の左右方向の各端部に当接する。また、張り出し回路基板６０がベース部材８１に設置された状態で、奥壁部は、張り出し回路基板６０の前後方向の奥側の端部に当接する。さらに、張り出し回路基板６０がベース部材８１に設置された状態で、各移動規制部８２は、張り出し回路基板６０の前後方向の手前側の端部（張り出し回路基板６０の雌コネクタ６２に隣接する端部）に当接する。これにより、ベース部材において、張り出し回路基板６０の位置決め可能となる。このように張り出し回路基板６０がベース部材８１に位置決めされた状態で、各移動規制部８２が雄コネクタ７１のハウジング７１ａの背面において、雄コネクタ７１と雌コネクタ６２との接合あるいは電気的接続が解除されることを規制できる位置となるように、張り出し回路基板６０における雌コネクタ６２の設置位置が決定されている。
カバー部材８５は、ベース部８１に対して着脱可能に構成されている。カバー部材８５には、ＦＰＣ基板７０の他端側を導出させるための導出口８６が設けられている。
【００２５】
（張り出し回路基板の基板ケースへの収容方法）
次に、張り出し回路基板６０を基板ケース８０に収容する方法について説明する。
なお、基板ケース８０のベース部材８１は、予め、フレーム５０に固定されているものとする。また、張り出し回路基板６０の駆動回路は、予め、ＦＰＣ基板６１を介して、液晶表示パネル４０に電気的に接続されているものとする。
張り出し回路基板６０を基板ケース８０に収容する際には、まず、張り出し回路基板６０に実装された雌コネクタ６２にＦＰＣ基板７０に取り付けられた雄コネクタ７１を接合して、張り出し回路基板６０とＦＰＣ基板７０とを電気的に接続する。
【００２６】
次に、図４に示すように、ＦＰＣ基板７０が接続された張り出し回路基板６０を基板ケース８０のベース部材８１に固定する。この際、張り出し回路基板６０は、ベース部材８１の両側壁部８３、奥壁部及び両移動規制部８２に当接することにより、位置決めがなされる。ここで、張り出し回路基板６０は、接着剤、両面テープ等によりベース部８１に固定する。
また、図３に示すように、張り出し回路基板６０が固定されたベース部８１に、カバー部材８５を取り付ける。これにより、張り出し回路基板６０が基板ケース８０に収容され、雌コネクタ６２及び雄コネクタ７１が基板ケース８０内で互いに接合した状態となる。また、ＦＰＣ基板７０の他端側がカバー部材８５の導出口８６から導出した状態となる。さらに、雄コネクタ７１が移動規制部８２と対面する部分は、張り出し回路基板６０の雌コネクタ６２に隣接する端部が移動規制部８２と対面する部分よりも張り出し回路基板６０の内側に配置されるか、あるいは、同一の位置に配置されている。
【００２７】
（移動規制部の作用及び効果）
張り出し回路基板６０が基板ケース８０に収容された状態では、基板ケース８０の移動規制部８２により、雄コネクタ７１が雌コネクタ６２に対して接合が解除される向きに移動することが規制される。
具体的には、張り出し回路基板６０が基板ケース８０に収容された状態では、基板ケース８０の移動規制部８２により、雄コネクタ７１が雌コネクタ６２に対して雌コネクタ６２との電気的接続が解除される位置へ移動することが規制される。
すなわち、液晶表示装置２０では、張り出し回路基板６０が固定された基板ケース８０を介して、雌コネクタ７１と雄コネクタ６２との相対的な移動が規制される。
【００２８】
したがって、液晶表示装置２０によれば、張り出し回路基板６０とＦＰＣ基板７０との電気的な接続が意図せずに解除されることを抑制することが可能となる。
また、張り出し回路基板６０が基板ケース８０に収容された状態では、雄コネクタ７１が移動規制部８２と対面する部分は、張り出し回路基板６０の雌コネクタ６２に隣接する端部が移動規制部８２と対面する部分よりも張り出し回路基板６０の内側に配置されるか、あるいは、同一の位置に配置されている。そして、張り出し回路基板６０が基板ケース８０に収容された状態では、基板ケース８０の移動規制部８２が、張り出し回路基板６０の雌コネクタ６２に隣接する端部に当接することにより、当該端部を位置決めする。
したがって、液晶表示装置２０によれば、ＦＰＣ基板７０が引っ張られた際に、雌コネクタ７１及び雄コネクタ６２にかかる負荷を軽減することが可能となる。
【００２９】
（変形例）
本発明は上記実施の形態に限定されるものではなく、本発明の目的を達成できる範囲での変形、改良等は本発明に含まれるものである。
例えば、上記実施の形態では、移動規制部８２は、ベース部材８１の端部に設けられた凸片を折り曲げることにより形成されている。しかしながら、移動規制部８２は、ベース部材８１に対して独立した部材として構成しても構わない。この場合には、移動規制部８２に代わって、張り出し回路基板６０の前後方向の手前側の端部に当接して、張り出し回路基板６０の前後方向の位置決めをするための位置決め部が別途必要となる。
【００３０】
また、上記実施の形態では、移動規制部８２は、雌コネクタ６２及び雄コネクタ７１が互いに接合した状態で、張り出し回路基板６０を基板ケース８０に収容した際に、雄コネクタ７１のハウジング７１ａの背面に接触するように設けられている。この場合、移動規制部８２は、雌コネクタ６２及び雄コネクタ７１が互いに接合した状態で、張り出し回路基板６０を基板ケース８０に収容した際に、雄コネクタ７１を雌コネクタ６２に対して接合する向きに付勢するように設けても構わない。具体的には、移動規制部８２を弾性を有する材料により形成する。そして、雄コネクタ７１を雌コネクタ６２に対して接合する向きに付勢するように移動規制部８２を設ける。これにより、張り出し回路基板６０とＦＰＣ基板７０との電気的な接続が意図せずに解除されることをさらに抑制することが可能となる。
【００３１】
また、上記実施の形態では、移動規制部８２は、基板ケース８０のベース部材８１に設けられている。しかしながら、移動規制部８２は、基板ケース８０のカバー部材８５に設けても構わない。この場合、移動規制部８２は、カバー部材８５を張り出し回路基板６０が固定されたベース部材８１に取り付けた状態で、雄コネクタ７１が雌コネクタ６２に対して雌コネクタ６２との電気的接続が解除される位置へ移動することを規制するように設けられる。具体的には、移動規制部８２は、カバー部材８５を張り出し回路基板６０が固定されたバース部材８１に取り付けた状態で、雄コネクタ７１が雌コネクタ６２との接合が解除される向きに移動することを規制するように設けられる。
【００３２】
また、上記実施の形態では、移動規制部８２は、予め、ベース部材８１の端部に設けられた凸片を折り曲げることにより形成されている。そして、張り出し回路基板６０を基板ケース８０に収容する際に、まず、張り出し回路基板６０に実装された雌コネクタ６２にＦＰＣ基板７０に取り付けられた雄コネクタ７１を接合し、その後、張り出し回路基板６０をベース部材８１に固定している。しかしながら、ベース部材８１の端部に設けられた凸片を折り曲げていない状態で、張り出し回路基板６０をベース部材８１に固定し、張り出し回路基板６０に実装された雌コネクタ６２にＦＰＣ基板７０に取り付けられた雄コネクタ７１を接合し、その後、ベース部材８１の端部に設けられた凸片を折り曲げて移動規制部８２を形成しても構わない。
【００３３】
さらに、上記実施の形態では、可撓性基板としてＦＰＣ基板７０を適用している。しかしながら、可撓性基板としては、可撓性を有するものであれば、他の基板、配線等を適用しても構わない。
なお、本発明に係る電子機器としては、カーナビゲーション装置、携帯電話機、液晶テレビ、電子手帳、電卓、ＰＯＳ端末機、ノートパソコン等を適用することができる。
また、電子機器に備えられる電気光学パネルとしては、液晶表示パネルの他、有機エレクトロルミネッセンス表示パネル等を適用することができる。
【符号の説明】
【００３４】
１  電子機器、２０  液晶表示装置（電気光学装置）４０  液晶表示パネル（電気光学パネル）、６０  張り出し回路基板（回路基板）、６２  雌コネクタ（第一のコネクタ）、７０  ＦＰＣ基板（可撓性基板）、７１  雄コネクタ（第二のコネクタ）、８０  基板ケース、８１  ベース部材、８２  移動規制部、８５  カバー部材。
【図１】
2010217578.tif 000003
【図２】
2010217578.tif 000004
【図３】
2010217578.tif 000005
【図４】
2010217578.tif 000006
【図５】
2010217578.tif 000007